(57)【要約】【課題】  耐久性に優れた連結部材を提供する。【解決手段】  管延伸部を有する水栓に固定され、前記水栓と共に回転することによって、水栓取付部が有する複数の保持フックと係合することができる連結部材であって、金属材料により円板状に形成され、且つ水が前記水栓取付部から前記水栓まで通過する水通路が通過できる第１の開口が開けられた水栓スペーサーと、合成樹脂から作成され、且つ前記第１の開口に対応する第２の開口が開けられた係合体と、金属材料により円板状に作成され、且つ前記第１の開口に対応する第３の開口が開けられた固定座スペーサーと、を具える。【選択図】図３
2018188949.tif 000002
【特許請求の範囲】
【請求項１】
管延伸部を有する水栓に固定され、前記水栓と共に回転することによって、水栓取付部が有する複数の保持フックと係合することができる連結部材であって、
金属材料により円板状に形成され、且つ水が前記水栓取付部から前記水栓まで通過する水通路が通過できる第１の開口が開けられた水栓スペーサーと、
合成樹脂から作成され、且つ前記第１の開口に対応する第２の開口が開けられた係合体と、
金属材料により円板状に作成され、且つ前記第１の開口に対応する第３の開口が開けられた固定座スペーサーと、を具え、
前記水栓スペーサーと前記係合体と前記固定座スペーサーとは、この順番で重なって配置されており、
前記係合体は、
前記水栓スペーサーと前記固定座スペーサーとの間に介在し、円板状に形成され、且つ前記第２の開口が開けられている円板部と、
前記第２の開口の周縁から前記水栓スペーサーに向かって延伸し、前記第１の開口を経由して前記水栓スペーサーを貫通するように形成されている接続部と、
前記円板部を介して前記接続部とは反対側に凸設されている保持部と、
該連結部材と前記水栓取付部との相対回転における前記保持フックの可動経路に沿って延伸するように前記保持部の外周面に凹設され、それぞれ前記複数の保持フックの先端を受け入れることができる複数の保持溝と、
を含み、
前記固定座スペーサーの外周縁には、
前記複数の保持フックが通過して前記複数の保持溝とそれぞれ接することができるように、前記複数の保持溝に対応する複数のガイド溝が凹設されていることを特徴とする連結部材。
【請求項２】
前記水栓スペーサーと、前記係合体と、前記固定座スペーサーとを一斉に挿通して締結することができる複数のねじを更に具えることを特徴とする請求項１に記載の連結部材。
【請求項３】
前記保持部の外周面には、各前記保持溝のそれぞれの前記ガイド溝に対応する一端の反対端で前記固定座スペーサーに接する箇所に形成され、前記複数の保持フックの先端を前記円板部との間に挟んで保持することができる保持プレートを更に有することを特徴とする請求項１又は請求項２に記載の連結部材。
【請求項４】
水栓取付部と、吐水口を有する水栓と、前記水栓に固定されて前記水栓と共に回転することによって、前記水栓取付部と係合することができる連結部材と、を有する水栓装置であって、
前記水栓は、前記水栓取付部に取付けられる水栓本体と、ハンドルと、を備え、
前記水栓本体は、
前記水栓取付部に向かって開口する開口部を有する管延伸部が形成されており、前記開口部に向かって開口し、且つ、前記吐水口まで延伸して水の流路を画成する２つの貫通孔を有し、
前記水栓取付部は、
前記水栓側へ突起する複数の保持フックを具える固定床と、
前記貫通孔と接続するように前記固定床から前記水栓側へ突起する２つの供水管と、
前記２つの供水管の反対側において水を前記２つの供水管へ導入する２つの導水管と、を有し、
前記連結部材は、
金属材料により円板状に形成され、且つ水が前記水栓取付部から前記水栓まで通過する水通路が通過できる第１の開口が開けられた水栓スペーサーと、
合成樹脂から作成され、且つ前記第１の開口に対応する第２の開口が開けられた係合体と、
金属材料により円板状に作成され、且つ前記第１の開口に対応する第３の開口が開けられた固定座スペーサーと、を具え、
前記水栓スペーサーと前記係合体と前記固定座スペーサーとは、この順番で重なって配置されており、
前記係合体は、
前記水栓スペーサーと前記固定座スペーサーとの間に介在し、円板状に形成され、且つ前記第２の開口が開けられている円板部と、
前記第２の開口の周縁から前記水栓スペーサーに向かって延伸し、前記第１の開口を経由して前記水栓スペーサーを貫通するように形成されている接続部と、
前記円板部を介して前記接続部とは反対側に凸設されている保持部と、
該連結部材と前記水栓取付部との相対回転における前記保持フックの可動経路に沿って延伸するように前記保持部の外周面に凹設され、それぞれ前記複数の保持フックの先端を受け入れることができる複数の保持溝と、
を含み、
前記固定座スペーサーの外周縁には、
前記複数の保持フックが通過して前記複数の保持溝とそれぞれ接することができるように、前記複数の保持溝に対応する複数のガイド溝が凹設されている
ことを特徴とする水栓装置。
【請求項５】
前記水栓スペーサーと、前記係合体と、前記固定座スペーサーとを一斉に挿通して締結することができる複数のねじを更に具えることを特徴とする請求項４に記載の水栓装置。
【請求項６】
前記保持部の外周面には、各前記保持溝のそれぞれの前記ガイド溝に対応する一端の反対端で前記固定座スペーサーに接する箇所に形成され、前記複数の保持フックの先端を前記円板部との間に挟んで保持することができる保持プレートを更に有することを特徴とする請求項４又は請求項５に記載の水栓装置。
【発明の詳細な説明】
【技術分野】
【０００１】
本発明は、連結部材に関し、特に、水栓の取り付けに用いる連結部材及びこれを用いた水栓装置に関する。
【背景技術】
【０００２】
従来の水栓装置としては例えば特許文献１に記載されたものが挙げられる。特許文献１に記載された水栓装置は、水栓取付部と、吐水口を有する水栓と、合成樹脂により作成され、水栓に固定されて水栓と共に回転することによって、水栓取付部と係合することができる連結手段と、を有する水栓装置である。
【先行技術文献】
【特許文献】
【０００３】
【特許文献１】台湾特許第Ｉ３６８００１号明細書
【発明の概要】
【発明が解決しようとする課題】
【０００４】
しかし、上記した特許文献１に記載の水栓装置における連結手段は、合成樹脂からなるので、着脱の回数が増えるに従って磨耗が著しく、該連結手段を新たなものに変更する頻度が高くなりがちであり、使用者としては不便である。
【０００５】
よって、本発明は上記の問題点を鑑みて、耐久性に優れた連結部材の提供を目的とする。
【課題を解決するための手段】
【０００６】
上記目的を達成すべく、本発明による実施形態は、管延伸部を有する水栓に固定され、前記水栓と共に回転することによって、水栓取付部が有する複数の保持フックと係合することができる連結部材であって、金属材料により円板状に形成されて且つ、水が前記水栓取付部から前記水栓まで通過する水通路が通過できる第１の開口が開けられた水栓スペーサーと、合成樹脂から作成され、且つ前記第１の開口に対応する第２の開口が開けられた係合体と、金属材料により円板状に作成され、且つ前記第１の開口に対応する第３の開口が開けられた固定座スペーサーと、を具え、前記水栓スペーサーと前記係合体と前記固定座スペーサーとは、この順番で重なって配置されており、前記係合体は、前記水栓スペーサーと前記固定座スペーサーとの間に介在し、円板状に形成され、且つ前記第２の開口が開けられている円板部と、前記第２の開口の周縁から前記水栓スペーサーに向かって延伸し、前記第１の開口を経由して前記水栓スペーサーを貫通するように形成されている接続部と、前記円板部を介して前記接続部とは反対側に凸設されている保持部と、該連結部材と前記水栓取付部との相対回転における前記保持フックの可動経路に沿って延伸するように前記保持部の外周面に凹設され、それぞれ前記複数の保持フックの先端を受け入れることができる複数の保持溝と、を含み、前記固定座スペーサーの外周縁には、前記複数の保持フックが通過して前記複数の保持溝とそれぞれ接することができるように、前記複数の保持溝に対応する複数のガイド溝が凹設されていることを特徴とする連結部材を提供する。
【０００７】
上記した連結部材において、前記水栓スペーサーと、係合体と、固定座スペーサーとを一斉に挿通して締結することができる複数のねじを更に具えることが好ましい。
【０００８】
上記した連結部材において、前記保持部の外周面には、各前記保持溝それぞれの前記ガイド溝に対応する一端の反対端で前記固定座スペーサーに接する箇所に形成され、前記複数の保持フックの先端を前記円板部との間に挟んで保持することができる保持プレートを更に有することが好ましい。
【発明の効果】
【０００９】
以上の構成により、本実施形態の連結部材は、合成樹脂により作られた従来の水栓装置の連結手段と比べて、水栓スペーサーと固定座スペーサーが金属材料により作成されたので、例えば、連結部材の磨耗を抑えることができ、耐久性に優れる。また、保持溝に設けられた保持プレートによって、それらの保持フックの先端をそれぞれ円板部と保持プレートの間に挟んで保持するので、水栓と水栓取付部が更に確実に固定することができる。
【図面の簡単な説明】
【００１０】
【図１】本発明の水栓装置の実施形態を示す分解斜視図である。
【図２】該実施形態における連結部材を示す分解斜視図である。
【図３】該連結部材を示す他の角度から見た分解斜視図である。
【図４】本発明の水栓装置の実施形態において、水栓と連結部材と合わせて水栓取付部に取り付ける仕方を示す斜視図である。
【図５】本発明の水栓装置の実施形態において、３つの保持フックがそれぞれガイド溝を経由して保持溝に到達する様子を示す斜視図である。
【図６】本発明の水栓装置の実施形態において、水栓と連結部材と合わせて回転することにより３つの保持フックがそれぞれ保持溝の保持プレートがある端に当たると共に挟んで保持される様子を示す斜視図である。
【発明を実施するための形態】
【００１１】
以下、本発明によって構成された水栓装置の好ましい実施形態について、添付図面を参照しながら詳しく説明する。ここで、図１は本発明の水栓装置の実施形態を示す分解斜視図であり、図２は該実施形態における連結部材を示す分解斜視図である。
【００１２】
図１と図２に示されたように、本実施形態は、水栓取付部３と、吐水口２３を有する水栓２と、水栓２に固定されて水栓２と共に回転することによって、水栓取付部３と係合することができる連結部材４と、を有する。
【００１３】
水栓２は、一端が水栓取付部３に取付けられる略円筒状の水栓本体２１と、ハンドル２２と、を具える。
【００１４】
水栓本体２１の一端には、水栓取付部３に向かって開口する開口部２１２を有する管延伸部２１３が水栓本体２１の周縁から延伸するように形成されている。更に、この管延伸部２１３の内側には開口部２１２に向かって開口し、且つ、吐水口２３まで延伸して水の流路を画成する２つの略円筒状の貫通孔２１５が互いに隣り合うように設けられている。ハンドル２２は、図１に示されているように、水栓本体２１の他端から水栓本体２１と直交する方向に延伸し、使用者に操作されることにより水栓の吐水口２３から水が流れ出すことを制御することができる。
【００１５】
水栓取付部３は、水源（図示せず）に連通し、凹部を有する略円盤状の固定床３１と、固定床３１の凹部に回転可能に取り付けられた回転床３２とを具える。固定床３１は、水栓２側へ突起する３つの保持フック３１２が固定床３１の円周に沿って略等間隔に形成されている。回転床３２には、貫通孔２１５と接続するように固定床３１から水栓２側へ突起する２つの供水管３２１が互いに隣り合うように形成されている。また、これら２つの供水管３２１における固定床３１を介して反対側には水を２つの供水管３２１へ導入する２つの導水管３１３が形成されている。特に、各保持フック３１２は、反転Ｌ字状に形成され、それぞれ固定板３１から起立するように延伸し、且つそれらの保持フック３１２の先端は、水平面において回転床３２に向かって延伸するように形成されている。
【００１６】
図２と図３を参照して連結部材４を説明する。ここで、図３は該連結部材を示す他の角度から見た分解斜視図である。図２と図３に示されたように、連結部材４は、水栓スペーサー４１と、係合体４２と、固定座スペーサー４３と、２つのねじ４４を具える。水栓スペーサー４１と係合体４２と固定座スペーサー４３とは、この順番で重ねられるように配置される。２つのねじ４４は、水栓スペーサー４１と、係合体４２と、固定座スペーサー４３とを一斉に挿通して締結するために使用される。
【００１７】
水栓スペーサー４１には、金属材料により円板状に形成されて、且つ水を水栓取付部３から水栓２まで通過させるための第１の開口４１２が形成される。また、この第１の開口４１２は２つの供水管３２１を通過させるため、供水管３２１が並べられた方向における幅が広く形成されている。
【００１８】
係合体４２は、合成樹脂から作成されており、水栓スペーサー４１と固定座スペーサー４３との間に介在し、且つ円板状に形成されている。また、係合体４２は、第１の開口４１２に対応する第２の開口４２０が開けられている円板部４２１と、第２の開口４２０の周縁から水栓スペーサー４１に向かって延伸し、第１の開口４１２を経由して水栓スペーサー４１を貫通し且つ第１の開口４１２の形状に対応するように形成されている接続部４２２と、円板部４２１を介して接続部４２２とは反対方向に凸設されている保持部４２３（図３）と、該連結部材４と水栓取付部３との相対回転における保持フック３１２の可動経路に沿って延伸するように保持部４２３の外周面に凹設されると共に、それぞれ３つの保持フック３１２の先端を受け入れることができる３つの保持溝４２４と、を含む。更に、係合体４２の保持部４２３の外周面には、各保持溝４２４のそれぞれの一端で固定座スペーサー４３に接する箇所に形成されると共に、３つの保持フック３１２の先端を円板部４２１との間に挟んで保持することができる保持プレート４２５を有する。
【００１９】
固定座スペーサー４３は、金属材料により円板状に作成され、且つ第１の開口４１２に対応する第３の開口４３１が形成されている。また、固定座スペーサー４３の外周縁には、３つの保持フック３１２が通過して３つの保持溝４２４とそれぞれ接することができるように、３つの保持溝４２４に対応する３つのガイド溝４３２が凹設されている。特に、ガイド溝４３２が設けられる箇所は、保持プレート４２５が形成される各保持溝４２４の一端の反対端に対応する箇所である。
【００２０】
図１と、図４〜６を参照しながら本実施形態を説明する。ここで、図４は水栓２と連結部材４とを合わせて水栓取付部３に取り付ける仕方を示す斜視図であり、図５は３つの保持フック３１２がそれぞれガイド溝４３２を経由して保持溝４２４に到達する様子を示す斜視図であり、そして図６は、水栓２と連結部材４と合わせて回転することにより３つの保持フック３１２がそれぞれ保持溝４２４の保持プレート４２５がある端に当たると共に挟んで保持される様子を示す斜視図である。
【００２１】
本実施形態による水栓装置が取り付けられる際には、先ず、例えばねじ４４（図２）またはボルトを使って、連結部材４を図１に示す水栓２の開口部２１２に取り付ける。それから、３つの保持フック３１２の先端がガイド溝４３２を経由して保持溝４２４に到達し、そして係合体４２に当接する。
【００２２】
続いて、連結部材４と共に水栓２を回転させると、各保持フック３１２の先端は保持溝４２４と固定座スペーサー４３とに画成した可動経路に沿ってそれぞれ保持プレート４２５に向かって当たるように回転する。
【００２３】
そして、連結部材４を回転させたあと、各保持フック３１２の先端が保持プレート４２５と保持溝４２４に挟まれて保持される。各保持フック３１２の先端が挟まれて保持されることにより、保持プレート４２５と保持溝４２４に対する摩擦力が高まり、水栓２はより密接に固定されることができる。
【産業上の利用可能性】
【００２４】
以上のように、本実施形態の水栓装置における連結部材４は、合成樹脂により作成された係合体４２と、金属材料により作成された水栓スペーサー４１及び固定座スペーサー４３と、を用いることによって、従来の水栓装置における連結手段と比べて、例えば、合成樹脂の弾力を維持した上、連結部材４の着脱の際に発生する磨耗に対する耐性が大幅に向上されることができ、耐久性に優れた連結部材４を実現し得る。
【００２５】
また、各保持フック３１２の先端が保持プレート４２５と保持溝４２４に挟まれて保持されることによって、従来の水栓装置における連結手段と比べて、例えば、水栓２をより確実に固定することができる。
【符号の説明】
【００２６】
２      水栓
２１    水栓本体
２１２  開口部
２１３  管延伸部
２１５  貫通孔
２２    ハンドル
２３    吐水口
３      水栓取付部
３１    固定床
３１２  保持フック
３１３  導水管
３２    回転床
３２１  供水管
４      連結部材
４１    水栓スペーサー
４１２  第１の開口
４２    係合体
４２０  第２の開口
４２１  円板部
４２２  接続部
４２３  保持部
４２４  保持溝
４２５  保持プレート
４３    固定座スペーサー
４３１  第３の開口
４３２  ガイド溝
４４    ねじ
【図１】
2018188949.tif 000003
【図２】
2018188949.tif 000004
【図３】
2018188949.tif 000005
【図４】
2018188949.tif 000006
【図５】
2018188949.tif 000007
【図６】
2018188949.tif 000008